(57)【特許請求の範囲】
【請求項１】
取付ベースとこの取付ベースの両側より立ち上げた両側板と前記取付ベースの後部に設けた後板とを有し、前記取付ベースを装置本体側へ取り付ける取付部材と、背板とこの背板より折り曲げられた両側板とを有し、この両側板の一端部側を前記取付部材の両側板へヒンジピンを介して回転可能に取り付けた原稿圧着板の支持部材と、この支持部材と前記取付部材との間に当該支持部材を前記原稿圧着板の開成方向へ回転付勢させるために弾設した弾性手段とから成るものにおいて、前記取付部材の後部と前記支持部材の後部との間に指挟み防止手段を設け、この指挟み防止手段を、前記取付部材の後板に取り付けられる取付板部、この取付板部の両側から折り曲げた一対の両側板、この両側板の上端部に傾斜させて設けたストッパー部、この各ストッパー部から上方へ突出させて設けた突起部から成るストッパー部材と、前記支持部材の背板の後部を伸張させて設けたところの前記突起部を前記原稿圧着板の所定の開成角度において嵌入させる溝部を有する伸張部とで構成し、前記突起部で前記原稿圧着板の開成時に同時に旋回する前記支持部材の前記背板の後端部側を塞ぐことにより、前記背板の後端部と前記取付部材との間で手指が挟まれることを防止したことを特徴とする、原稿圧着板開閉装置。
【請求項２】
取付ベースとこの取付ベースの両側より立ち上げた両側板と前記取付ベースの後部に設けた後板とを有し、前記取付ベースを装置本体側へ取り付ける取付部材と、少なくとも背板とこの背板より折り曲げた両側板を有し、この両側板を前記取付部材の両側板へヒンジピンを介して回転可能に連結した支持部材と、少なくとも背板とこの背板より折り曲げた両側板とを有し、前記支持部材の両側板の自由端側に連結ピンを介して該支持部材とは異なる方向へその両側板を回転可能となるように軸着したところの原稿圧着板を有するリフト部材と、前記取付部材側の両側板間に軸架させた受圧部材と、この受圧部材にカム部を当接させて前記支持部材内部に摺動可能に収装されたカムスライダーと、このカムスライダーと前記リフト部材との間に弾設させることにより、前記リフト部材を支持部材と重なり合う方向へ回転付勢させつつ前記支持部材を前記原稿圧着板の開成方向へ回転付勢させる弾性手段とから成るものにおいて、前記取付部材の後部と前記支持部材及び又はリフト部材の後部との間に指挟み防止手段を設け、この指挟み防止手段を、前記取付部材の後板に取り付けられる取付板部、この取付板部の両側から折り曲げた一対の両側板、この両側板の上端部に傾斜させて設けたストッパー部、この各ストッパー部から上方へ突出させて設けた突起部から成るストッパー部材と、前記支持部材と前記リフト部材の各背板の後部を伸張させて設けたところの前記突起部を前記原稿圧着板の所定の開成角度において嵌入させる溝部を有する伸張部とで構成し、前記突起部で前記原稿圧着板の開成時に同時に旋回する前記支持部材と前記リフト部材の前記各背板の後端部側を塞ぐことにより、前記各背板の後端部と前記取付部材との間で手指が挟まれることを防止したことを特徴とする、
原稿圧着板開閉装置。
【請求項３】
前記取付部材の取付ベースからは取付脚部が垂設され、この取付脚部が装置本体に設けた取付挿入孔へ上下動可能に挿入されることを特徴とする、請求項１に記載の原稿圧着板開閉装置。
【請求項４】
前記指挟み防止手段のストッパー部材を、前記取付部材の後板にその上端部側を後方へ折り曲げることにより構成したストッパー部と、このストッパー部の上端部両側に上方へ突出させて設けたに一対の突起部とで構成したことを特徴とする、請求項１〜３のいずれか１項に記載の原稿圧着板開閉装置。
【請求項５】
前記指挟み防止手段を構成する溝部の全部或は一部を長孔としたことを特徴とする、請求項１〜４のいずれか１項に記載の原稿圧着板開閉装置。
【請求項６】
請求項１〜４に各記載の原稿圧着板開閉装置を装置本体と原稿圧着板との間に用いたことを特徴とする、ＯＡ機器。
【発明の詳細な説明】
【技術分野】
【０００１】
本発明は、例えば複合機や印刷機等のＯＡ機器などの装置本体に対し、原稿圧着板などを開閉可能に取り付ける際に用いて好適な、原稿圧着板開閉装置並びにこの原稿圧着板開閉装置を用いたＯＡ機器に関する。
【背景技術】
【０００２】
従来、とくに複合機の原稿圧着板開閉装置として、取付ベースとこの取付ベースの両側より立ち上げた両側板と後板、或はこの後板に取り付けたストッパー部材を有し、前記取付ベースを装置本体側へ取り付ける取付部材と、少なくとも背板とこの背板より折り曲げた両側板を有し、この両側板を前記取付部材の両側板へヒンジピンを介して回転可能に連結した支持部材と、原稿圧着板を取り付ける背板とこの背板より折り曲げた両側板とを有し、前記支持部材の両側板の自由端側に連結ピンを介して該支持部材とは異なる方向へその両側板を回転可能となるように軸着したリフト部材と、このリフト部材の前記支持部材に対する軸着部側であって前記リフト部材の回転時に前記連結ピンを支点に旋回する位置に設けられた作動部材と、前記取付部材側の両側板間にヒンジピンとは異なる位置に軸架させた受圧部材と、この受圧部材にカム部を当接させて前記支持部材内部に摺動可能に収装されたカムスライダーと、前記支持部材内の自由端側に前記作動部材に当接させて摺動可能に収装されたスプリング受部材と、前記カムスライダーと前記スプリング受部材との間に弾設させることにより、前記リフト部材を支持部材と重なり合う方向へ回転付勢させつつ前記支持部材を少なくとも原稿圧着板の開成方向へ付勢させる弾性手段とで構成したものが公知である。並びにこのように構成した原稿圧着板開閉装置を用いたＯＡ機器が、下記特許文献１或は２により公知である。
【先行技術文献】
【特許文献】
【０００３】
【特許文献１】特開２０１１-  １２３４２１号公報
【特許文献２】特開２０１１-  １３３５５７号公報
【０００４】
原稿圧着板を原稿圧着板開閉装置へ取り付けた際には、例えば図６や図７に示したように、圧縮コイルスプリングから成る弾性手段の弾力により、原稿圧着板は取付部材に対して所定角度開いた状態にある。この開成角度においては、弾性手段が支持部材を介して原稿圧着板を開成方向へ押圧する力が弱いことから、原稿圧着板に対し外部から力が加わると、原稿圧着板がヒンジピンを支点に上下方向へ揺動することになる。原稿圧着板を複合機の組立時に装置本体へ取り付ける際には、先に原稿圧着板の後部を原稿圧着板開閉装置のリフト部材や支持部材へ取り付け、取付部材の部分を手で持って装置本体へ取付部材を取り付けることになる。或は装置本体や原稿自動送り装置の保守点検時や修理時には、同じく取付部材の部分を手で持って、取付部材の着脱作業を行なう。さらには、原稿圧着板の取付位置を調整する際には、同じく取付部材を手で持ってこの調整作業を行なう。このようなときに、従来の原稿圧着場開閉装置は、取付部材の後板或はこの後板に取り付けたストッパー部材と、支持部材或はリフト部材の後端部との間の間隙が広いことから、ぐらぐらする原稿圧着板によって、上記間隙の間で手指が挟まれて怪我をするということがあった。
【発明の概要】
【発明が解決しようとする課題】
【０００５】
本発明は、上述した従来技術の問題点を解決するためになされたもので、その目的とするところは、上記構成の原稿圧着板開閉装置を用いて原稿圧着板をＯＡ機器の装置本体へ取り付ける際に、取付部材の後板或はこの後板へ取り付けたストッパー部材と、支持部材或はリフト部材の各後板との間で手指を挟んでしまうことを可及的に防止した原稿圧着板開閉装置、並びにこの原稿圧着板開閉装置を用いたＯＡ機器を提供せんとするにある。
【課題を解決するための手段】
【０００６】
上述した目的を達成するためにこの発明に係る原稿圧着板開閉装置は、取付ベースとこの取付ベースの両側より立ち上げた両側板と前記取付ベースの後部に設けた後板とを有し、前記取付ベースを装置本体側へ取り付ける取付部材と、背板とこの背板より折り曲げられた両側板とを有し、この両側板の一端部側を前記取付部材の両側板へヒンジピンを介して回転可能に取り付けた原稿圧着板の支持部材と、この支持部材と前記取付部材との間に当該支持部材を前記原稿圧着板の開成方向へ回転付勢させるために弾設した弾性手段とから成るものにおいて、前記取付部材の後部と前記支持部材の後部との間に指挟み防止手段を設け、この指挟み防止手段を、前記取付部材の後板に取り付けられる取付板部、この取付板部の両側から折り曲げた一対の両側板、この両側板の上端部に傾斜させて設けたストッパー部、この各ストッパー部から上方へ突出させて設けた突起部から成るストッパー部材と、前記支持部材の背板の後部を伸張させて設けたところの前記突起部を前記原稿圧着板の所定の開成角度において嵌入させる溝部を有する伸張部とで構成し、前記突起部で前記原稿圧着板の開成時に同時に旋回する前記支持部材の前記背板の後端部側を塞ぐことにより、前記背板の後端部と前記取付部材との間で手指が挟まれることを防止したことを特徴とする。
【０００７】
本発明はまた、取付ベースとこの取付ベースの両側より立ち上げた両側板と前記取付ベースの後部に設けた後板とを有し、前記取付ベースを装置本体側へ取り付ける取付部材と、少なくとも背板とこの背板より折り曲げた両側板を有し、この両側板を前記取付部材の両側板へヒンジピンを介して回転可能に連結した支持部材と、少なくとも背板とこの背板より折り曲げた両側板とを有し、前記支持部材の両側板の自由端側に連結ピンを介して該支持部材とは異なる方向へその両側板を回転可能となるように軸着したところの原稿圧着板を有するリフト部材と、前記取付部材側の両側板間に軸架させた受圧部材と、この受圧部材にカム部を当接させて前記支持部材内部に摺動可能に収装されたカムスライダーと、このカムスライダーと前記リフト部材との間に弾設させることにより、前記リフト部材を支持部材と重なり合う方向へ回転付勢させつつ前記支持部材を前記原稿圧着板の開成方向へ回転付勢させる弾性手段とから成るものにおいて、前記取付部材の後部と前記支持部材及び又はリフト部材の後部との間に指挟み防止手段を設け、この指挟み防止手段を、前記取付部材の後板に取り付けられる取付板部、この取付板部の両側から折り曲げた一対の両側板、この両側板の上端部に傾斜させて設けたストッパー部、この各ストッパー部から上方へ突出させて設けた突起部から成るストッパー部材と、前記支持部材と前記リフト部材の各背板の後部を伸張させて設けたところの前記突起部を前記原稿圧着板の所定の開成角度において嵌入させる溝部を有する伸張部とで構成し、前記突起部で前記原稿圧着板の開成時に同時に旋回する前記支持部材と前記リフト部材の前記各背板の後端部側を塞ぐことにより、前記各背板の後端部と前記取付部材との間で手指が挟まれることを防止したことを特徴とする。
【０００８】
本発明において、取付部材はその取付ベースから取付脚部が垂設し、この取付脚部が装置本体に設けた取付挿入孔へ上下動可能に挿入されるように構成することができる。
【０００９】
さらに、本発明においては、前記指挟み防止手段のストッパー部材を、前記取付部材の後板にその上端部側を後方へ折り曲げることにより構成したストッパー部と、このストッパー部の上端部両側に上方へ突出させて設けたに一対の突起部とで構成したり、或は前記指挟み防止手段を構成する溝部の一部或は全部を長孔とすることができる。
【００１０】
そして、本発明に係るＯＡ機器においては、上記原稿圧着板開閉装置を装置本体と原稿圧着板との間に用いたことを特徴とするものである。
【発明の効果】
【００１１】
本発明は以上のように構成したので、取付部材の後板、或はこの後板に取り付けたストッパー部材と、支持部材やリフト部材の各後端部との間の間隙が狭くなったことから、原稿圧着板開閉装置を手指で保持して装置本体へ着脱を行なっても、取付部材の後板、或はこの後板に取り付けたストッパー部材と、支持部材やリフト部材の各後端部との間で手指を挟んで怪我をしてしまうことを有効に防止することができるという作用効果を奏し得るものである。
【図面の簡単な説明】
【００１２】
【図１】本発明に係る原稿圧着板開閉装置を用いた例えば複合機のようなＯＡ機器の原稿圧着板を開いて見た斜視図である。
【図２】本発明に係る原稿圧着板開閉装置の側面図である。
【図３】図２に示した原稿圧着板開閉装置の平面図である。
【図４】図２に示した原稿圧着板開閉装置の背面図である。
【図５】図３に示した原稿圧着板開閉装置の内部構造を説明するための側断面図である。
【図６】図３に示した原稿圧着板開閉装置の動作を説明するための側断面図である。
【図７】図３に示した原稿圧着板開閉装置の動作を説明するための側断面図である。
【図８】図２乃至図４に示した原稿圧着板開閉装置の取付部材を示し、（ａ）はその側面図、（ｂ）はその平面図、（ｃ）はその背面図である。
【図９】図２乃至図４に示した原稿圧着板開閉装置の支持部材の底面図である。
【図１０】図２乃至図４に示した原稿圧着板開閉装置ストッパー部材を示し、（ａ）はその側面図、（ｂ）はその側断面図、（ｃ）はその正面図である。
【図１１】図２乃至図４に示した原稿圧着板開閉装置のストッパー部材の他の実施例を示す側断面図である。
【図１２】本発明に係る原稿圧着板開閉装置の指挟み防止手段の他の実施例を示し、（ａ）はその側断面図、（ｂ）はその背面図である。
【図１３】本発明に係る原稿圧着板開閉装置の指挟み防止手段の他の実施例を示し、（ａ）はその平面図、（ｂ）はその背面図である。
【発明を実施するための形態】
【００１３】
図面は本発明の一実施の形態を示す。尚、以下の説明ではＯＡ機器の中の複合機或は複合機に用いられる原稿圧着板開閉装置として説明するが、本発明に係る原稿圧着板開閉装置は、複合機或は複合機以外の印刷機やファクシミリ、スキャナーなどのＯＡ機器にも用いられるものである。
【実施例１】
【００１４】
図１は、本発明に係る複合機を示す。図面によれば、本発明に係る複合機Ａの装置本体ａ上には、一対の原稿圧着板開閉装置Ｂ、Ｂ’を介して、自動原稿送り装置ｃ付きの原稿圧着板Ｃが開閉可能に取り付けられている。この原稿圧着板開閉装置Ｂ、Ｂ’は、一方の自動原稿送り装置ｃが取り付けられている図中左側の原稿圧着板開閉装置Ｂは、開閉操作時に加わる荷重が大きいので弾性手段１２を構成するコイルスプリングを並設して成るダブルコイルスプリングであるが、右側の原稿圧着板開閉装置Ｂ’は荷重が小さいので図示はしてないがシングルコイルスプリングである。しかしながら、本発明の要部となる部分の構成は、原則的に横幅が異なるのみで、基本的には同じであるので、以下の説明では、左側の原稿圧着板開閉装置Ｂについて説明する。尚、弾性手段を構成するそれぞれのコイルスプリングの全部或は一部は、大小の径のコイルスプリングを同芯状に重ねたものを用いる場合がある。
【００１５】
図２乃至図７は、本発明の実施例１に係る原稿圧着板開閉装置Ｂの一例を具体的に示す図である。本発明に係る原稿圧着板開閉装置Ｂは、装置本体ａ側へ取り付けられる取付部材１と、この取付部材１の両側板１ｂ、１ｂへその両側板２ｂ、２ｂをヒンジピン３を介して回転可能に連結した支持部材２と、この支持部材２の両側板２ｂ、２ｂの自由端側へ連結ピン４を介して該支持部材２とは異なる方向へ回転可能となるように軸着したところの、原稿圧着板Ｃを取り付けるリフト部材６と、取付部材１の両側板１ｂ、１ｂ間に設けた受圧部材５と、この受圧部材５にカム部１０ａを当接させて前記支持部材２内部に抱持板２ｃ、２ｃに抱えられて摺動可能に収装されたカムスライダー１０と、リフト部材６の両側板６ｂ、６ｂ間に設けた作動部材９と、この作動部材９に当接させて支持部材２内部に摺動可能に収装されたスプリング受部材１１と、カムスライダー１０とスプリング受部材１１との間に弾設させることにより、前記リフト部材６を支持部材２と重なり合う方向へ回転付勢させつつ、支持部材２を少なくとも原稿圧着板Ｃの開成方向へ付勢させる弾性手段１２と、取付部材１と支持部材２及び又はリフト部材６との間に設けた指挟み防止手段１３と、で構成したものである。
【００１６】
さらに詳しくは、取付部材１は、とくに図８に示したように、装置本体ａ上に取り付けられる取付ベース１ａと、この取付ベース１ａの両側端部からそれぞれ当該取付ベース１ａに対して直交する上方向（略直交する方向も含む）に折り曲げた両側板１ｂ、１ｂと、取付ベース１ａの一端部（後端部）から該取付ベース１ａに対して直交する上方向（略直交する方向も含む）に折り曲げて、その両側部の一部を取付部材１の両側板１ｂ、１ｂに係止させた略矩形状の後板１ｃと、から構成されている。その他、指示記号１ｄ、１ｄのものはヒンジピン取付孔であり、指示記号１ｅ、１ｅのものは受圧部材取付孔であり、さらに指示記号１ｆ、１ｆのものは図示してない係止ピンの係止孔である。さらに、指示記号１ｇ、１ｇは係止片であり、指示記号１ｈ、１ｈ（一方のみ表示）は、係止片１ｇ、１ｇを係止させる係止孔であり、さらに指示記号１ｉ、１ｋは取付孔である。
【００１７】
図４〜図７に示したように、取付部材１の後板１ｃには、原稿圧着板Ｃの開閉操作時における支持部材２の最大開成角度（６０°）を決めるストッパー部材８が取付ビス８ａ、８ａを介して取り付けられている。このストッパー部材８は、とくに図１０に示したように、背面略Ｈ形状を呈し、取付板部８ｂとこの取付板部８ｂの両側から折り曲げた両側板８ｃ、８ｃと、この両側板８ｃ、８ｃの上端部に傾斜させて設けたストッパー部８ｄ、８ｄを有し、このストッパー部８ｄ、８ｄには上方へ突出した突起部８ｅ、８ｅが設けられており、突起部８ｅ、８ｅは指挟み防止手段１３を構成している。
【００１８】
支持部材２は、とくに図９にも示したように、背板２ａと、この背板２ａの両端部から下方へ折り曲げられた両側板２ｂ、２ｂと、この両側板２ｂ、２ｂの下端側からは共に内側へ曲げられた抱持板２ｃ、２ｃから構成されており、両側板２ｂ、２ｂは上述したように、ヒンジピン３によって取付部材１の両側板１ｂ、１ｂへ回転可能に連結されている。両側板２ｂ、２ｂの自由端側には、連結ピン４を介してリフト部材６が回転可能に軸着されると共に、作動部材９の両端側が入り込むガイド溝部２ｄ、２ｄが設けられている。さらに、背板２ａの後部は後方へ伸張され後述する指挟み防止手段１３を構成する伸張部２ｅが設けられ、この伸張部２ｅの両端部側には、これも後述する指挟み防止手段１３を構成する溝部２ｆ、２ｆが設けられている。その他、指示記号２ｈ、２ｈは係止孔、指示記号２ｉ、２ｉは組立時に用いるストッパー孔である。
【００１９】
ヒンジピン３は、その両端部に図示してない周溝を設けた金属製の丸棒で、取付部材１のヒンジピン取付孔１ｄ、１ｄに取り付けられた、図示してない軸受部材を貫通して支持部材２の両側板２ｂ、２ｂを連結し、例えばＥリング３ａ、３ａで抜け止め規制されている。尚、このヒンジピン３はその一端部にフランジ部を設け、他端部をＥリングで抜け止め規制するように構成しても良い。
【００２０】
リフト部材６は背板６ａと、この背板６ａの両端部からそれぞれ当該背板６ａに対して直交する下方向（略直交する方向も含む）に折り曲げた両側板６ｂ、６ｂと、この両側板６ｂ、６ｂよりさらに外側へ折り曲げた取付板６ｃ、６ｃとから成り、支持部材２を覆うように構成されており、背板６ａにはその後方に向けて後述する指挟み防止手段１３を構成する伸張部６ｄが設けられると共に、この伸張部６ｄの両側部には一対の溝部６ｅ、６ｅが設けられている。さらに、リフト部材６が連結ピン４で軸着されている側には、ピン状の作動部材９が取り付けられると共に、取付板６ｃ、６ｃには原稿圧着板Ｃが取り付けられる構成である。尚、背板６ａに取り付けられている調節ネジ７ａとナット７ｂからなるものは、高さ調節手段７であり、原稿圧着板Ｃの原稿載置台ｄ（コンタクトガラス）に対する高さを微調整して、原稿圧着板Ｃが均等に原稿載置台ｄ（コンタクトガラス）の上面へ圧着するようにするためのものである。また、原稿圧着板開閉装置Ｂの構成によっては、後述するように、リフト部材を設けない構成のものもあり、その場合には原稿圧着板Ｃは支持部材２に取り付けられる。さらに、指示記号６ｆはストッパーピン挿通孔である。
【００２１】
連結ピン４は、金属製の丸棒で、両端部側に図示してない周溝を有し、支持部材２の両側板２ｂ、２ｂとリフト部材６の両側板６ｂ、６ｂを連結し、周溝へＥリング４ａ、４ａを係止させることにより抜け止め規制されている。
【００２２】
支持部材２内には、抱持板２ｃ、２ｃに抱えられてカムスライダー１０とスプリング受部材１１が、摺動可能に収納されている。カムスライダー１０とスプリング受部材１１は、断面矩形の有底筒体状に形成されており、カムスライダー１０の一端部側の受圧部材５側には、一方向へ傾斜させて上面が平坦なカム部１０ａが設けられると共に、受圧部材５の露出側を覆うカバー１０ｂが設けられている。スプリング受部材１１の一端部側の作動部材９側には、当接部１１ａが隆起して設けられている。尚、この当接部１１ａは必須ではなく一面に平坦部としても良い。カムスライダー１０とスプリング受部材１１は、互いの開口部が向き合うように支持部材２内に摺動可能に収納されて、カムスライダー１０のカム部１０ａの側は受圧部材５と当接し、スプリング受部材１１の当接部１１ａの側は作動部材９と当接している。
【００２３】
尚、作動部材９は、実施例のものは、両端部側に図示してない周溝を有し、この周溝にＥリング９ａ、９ａを係止させることによりリフト部材６の両側板６ｂ、６ｂへ抜け止め規制されて取り付けられている。この作動部材９は金属製の丸棒であるが、上記実施例のほかに、リフト部材６に頂板を設け、この頂板を内側へ折り曲げて作動部材を構成することもできる。また、作動部材９は両側板６ｂ、６ｂ間に回転可能或は固定して取り付けることができる。
【００２４】
カムスライダー１０とスプリング受部材１１の間に、互いの両端部側を当該カムスライダー１０とスプリング受部材１１の互いの開口部内に挿入させて、大径コイルスプリングから成る弾性手段１２が弾設されており、これにより、カム部１０ａは受圧部材５と圧接し、当接部１１ａは作動部材９と圧接状態にある。この弾性手段１２を構成するコイルスプリングは、１個でも２個以上でもよく、さらには大径のコイルスプリングの中に小径のコイルスプリングを入れて互いに重合させて用いても良い。実施例のものは、大径のコイルスプリングを１個用いてカムスライダー１０とスプリング受部材１１をそれぞれ互いに離間する方向に付勢させている。
【００２５】
受圧部材５は、外形が断面略４角形状に形成された例えば合成樹脂製のもので、取付部材１の両側板１ｂ、１ｂ間に軸架した金属製の受圧ピン５ａに対し回転可能に取り付けられており、その長辺側の一側部をカムスライダー１０のカム部１０ａに当接させている。カム部１０ａと受圧部材５の接触面には図示してないが潤滑用のグリスが塗布されている。尚、この受圧部材５の材料は、合成樹脂に限られず、焼結金属、セラミック、機械加工物その他のものであっても良い。
【００２６】
また、受圧ピン５ａは、その両端部をかしめることによって、取付部材１の両側板１ｂ、１ｂへ固定しても良く、Ｅリングを用いて抜け止め規制しても良い。また、回転可能に両側板１ｂ、１ｂへ取り付けるようにしても良い。さらに、受圧部材５は受圧ピン５ａを一体或は一体的に構成して両側板１ｂ、１ｂへ回転可能に取り付けるようにしても良い。
【００２７】
指挟み防止手段１３は、支持部材２とリフト部材６の各後端部をさらに後方へ伸張させて取付部材１の後部側上方を覆うように設けた伸張部２ｅ、６ｄと、取付部材１の後板１ｃに取り付けたストッパー部材８に設けた突起部８ｅと、この突起部８ｅを嵌入させるために各伸張部２ｅ、６ｄに設けた溝部２ｆ、２ｆ・６ｅ、６ｅとで構成されている。
【００２８】
次に、上記実施例１に係る原稿圧着板開閉装置Ｂの動作について説明する。今、図２乃至図５に示したように、想像線で示した原稿圧着板Ｃを閉じた状態においては、主として当該原稿圧着板Ｃの重量により、弾性手段１２の弾力に抗して原稿圧着板Ｃは閉じられ、安定した閉成状態を保っている。尚、ここのところは、弾性手段１２の作用線を受圧部材５の下方へずらすことにより、原稿圧着板Ｃを開式方向へ回転付勢させることもできる。この閉成状態において、受圧部材５のスライドローラ５ｂはその長径部側の摺接部５ｃをカムスライダー１０のカム部１０ａと面接触させており、最も圧縮された状態の弾性手段１２の弾力を面で受けている。
【００２９】
この閉成状態においては、伸張部２ｅや６ｄが後方に伸びて取付部材１やストッパー部材８の上端部側を覆い、さらに突起部８ｅ、８ｅが間隙の外方向を塞ぐので、取付部材１の部分に手を当てた状態のときに原稿圧着板Ｃが不意に開いても、取付部材１やストッパー部材８と支持部材２やリフト部材６の後端部との間で指を挟んでしまうことを防止できるものである。尚、図１０の（ｃ）において指示記号８ｆ、８ｆ・・・は取付孔である。
【００３０】
また、この種の原稿圧着板開閉装置Ｂにおいて、指を挟みやすいのは、原稿圧着板Ｃを装置本体ａへ取り付けるとき、或は保守点検時において原稿圧着板Ｃを装置本体ａに対して着脱作業を行なうとき、及び原稿圧着板Ｃの取付位置を調整するときなどである。これらの作業は原稿圧着板Ｃを原稿圧着板開閉装置Ｂへ取り付けた状態で、原稿圧着板開閉装置Ｂの部分を両手で持って行うのが通常である。原稿圧着板Ｃを原稿圧着板開閉装置Ｂの、実施例ではリフト部材６に取り付けた状態は、図６や図７に示したような状態であり、原稿圧着板Ｃは開いた状態にある。この開成角度において原稿圧着板Ｃがヒンジピン３の軸回りに発生させる回転トルクは、あまり強くないことから、原稿圧着板開閉装置Ｂの部分を両手で持って着脱作業や調整作業を行なうと、原稿圧着板Ｃは容易にヒンジピン３を支点に上下方向(つまり開閉方向）へぐらぐらと揺動し、その際に指を取付部材１と支持部材２及び又はリフト部材６の後部との間で挟み易いことになる。
【００３１】
かかる場合に本発明によれば、取付部材１或はこの取付部材１に取り付けたストッパー部材８と、支持部材２及び又はリフト部材６との間の間隙が小さくなるように構成したので、この間隙部分に指を当てて取付部材１の装置本体ａに対する着脱作業や調整作業を行なっても、指が挟まれる危険性はない。即ち、原稿圧着板Ｃを閉じた状態においては、伸張部２ｅ、６ｄと、ストッパー部材８の突起部８ｅ、８ｅと、伸張部２ｅ、６ｄに設けた溝部２ｆ、２ｆ・６ｅ、６ｅとによって、取付部材１と支持部材２及び又はリフト部材６との間の間隙が小さいことによって、指を挟むことを防止でき、原稿圧着板Ｃの取付時や保守点検、修理時並びに取付位置の調節時においても、伸張部２ｅ、６ｄと、ストッパー部材８の突起部８ｅ、８ｅと、伸張部２ｅ、６ｄに設けた溝部２ｆ、２ｆ・６ｅ、６ｅとによって、取付部材１の部分を手で持って作業を行なっても、取付部材１或はこの取付部材１に取り付けたストッパー部材８と支持部材２及び又はリフト部材６との間の間隙が小さいことによって、指を挟むことを防止できるものである。
【００３２】
次に、図２乃至図５に示した状態から原稿圧着板Ｃを開くと、カムスライダー１０のカム部１０ａの受圧部材５に対する当接位置が、該カム部１０ａの高い方から低い方へ面接触状態を維持させたまま移動することから、弾性手段１２の弾力により原稿圧着板Ｃは、その本来の重量を減殺された状態で開かれる。開いた原稿圧着板Ｃより手を離すと、受圧部材５の当接位置が弾性手段１２によって一方向へ摺動を付勢されているカムスライダー１０のカム部１０ａの高い方へ移動するフリクション抵抗に遭遇することにより、原稿圧着板Ｃが支持部材２を介してヒンジピン３の周りに発生させる回転モーメントと、弾性手段１２の弾力と、カムスライダー１０のカム部１０ａに当接している受圧部材５とによって創出される回転トルクが均衡する。実施例のものは原稿圧着板Ｃの１０°以上の開成角度で、当該原稿圧着板Ｃを安定停止保持する。
【００３３】
また、指挟み防止手段１３においては、とくに原稿圧着板開閉装置Ｂを装置本体ａに取り付けたり、取付後に対する取付位置を調節する際に、手で取付部材１の部分を保持しても、支持部材２やリフト部材６の背板２ａや６ａの後部に伸張部２ｅや６ｄを設けて取付部材１の後部との間に生じる間隙を小さくし、かつ、ストッパー部材８に原稿圧着板Ｃの開成角度により伸張部２ｅ、６ｄに設けた溝部２ｆ、２ｆや６ｅ、６ｅに嵌まり込む突起部８ｅ、８ｅを設けたので、手指が取付部材１と支持部材２やリフト部材６との間に嵌まり込んで挟まれて怪我をするのを有効に防止できるものである。
【００３４】
開いた原稿圧着板Ｃを閉じる際には、当該原稿圧着板Ｃは受圧部材５が弾性手段１２の弾力に抗してカム部１０ａの高い方へスライドする際の抵抗に遭遇するが、手による原稿圧着板Ｃに対する押圧力と、原稿圧着板Ｃの重量と、慣性力により閉じられ、所定の閉成角度、例えば１０°になると、原稿圧着板Ｃの閉成方向のモーメントが勝り始め、手を離しても自動的に閉じられることになる。そして、原稿圧着板Ｃの開閉操作時の間中受圧部材５とカムスライダー１０のカム部１０ａとは面接触を維持するので、カムスライダー１０に加わる荷重が分散されると共に、潤滑用のグリスの保持状態が維持されることから、カムスライダー１０に過大な荷重がかかるのを防止して、かつ永年使用時においてもグリス切れによる磨耗や異音が発生することを防止できるものである。
【００３５】
この際、受圧部材５とカムスライダー１０のカム部１０ａとの摺動面にグリス溜まりを設けると、尚一層グリスの保持能力が向上するものである。このグリス溜まりは、受圧部材５、或はカム部１０ａの一方或は双方に設けることができる。グリス溜まりの形状と位置については限定はない。
【００３６】
原稿が本のように厚い厚物原稿の場合には、この厚物原稿を図１に示した原稿載置台ｄ（コンタクトガラス）上へ載せて原稿圧着板Ｃを下押しすると、図６に想像線で示したように、連結ピン４を支点に回転するリフト部材６の両側板６ｂ、６ｂに取り付けた作動部材９によってスプリング受部材１１が押され、弾性手段１２の弾力に抗してカムスライダー１０側に摺動すると共に、原稿圧着板Ｃがリフト部材６と共に連結ピン４を軸に回転して、厚物原稿の上面を水平に覆うことになる。従って、この発明の原稿圧着板開閉装置Ｂは、原稿の厚さに関係なく原稿を装置本体ａの上面に安定して圧着させ、とくに厚物原稿の場合には、外光がコンタクトガラスから装置本体内の露出系に侵入するのを可及的に防止することができるものである。
【実施例２】
【００３７】
図１１は、本発明に係る原稿圧着板開閉装置のさらに他の実施例を示す。この実施例２に係る原稿圧着板開閉装置Ｅは、リフト部材がない点で、実施例１のものと異なっている。即ち、取付部材２０には、取付ベース２０ａと、両側板２０ｂ、２０ｂ（一方のみ表示）と、後板２０ｃを有し、取付ベース２０ａに取付脚部２１が設けられており、この取付脚部２１は装置本体ａに設けた取付挿入孔ａ’に挿脱自在に挿入されて装置本体ａへ取り付けられている。支持部材２２は、背板２２ａと、この背板２２ａの両側から下方へ折り曲げて形成させた両側板２２ｂ、２２ｂと、この両側板２２ｂ、２２ｂの下端部側から内側へ折り曲げて形成させた抱持板２２ｃ、２２ｃ（一方のみ表示）と、背板２２ａの一端部から下方へ折り曲げて形成させた頂板２２ｄと、この頂板２２ｄを支えるべく両側板２２ｂの先端からそれぞれ内側へ折り曲げた押さえ板部２２ｅ、２２ｅ（一方のみ表示）とから構成され、ヒンジピン２３を介して取付部材２０に対して回動可能に連結されている。さらに、指示記号８のものは取付部材２０の後板２０ｃに取り付けたストッパー部材であり、指示記号８ｅ、８ｅで示したものはストッパー部材８の側板８ｃ、８ｃの上端部に設けた突起部である。このストッパー部材８の構成は実施例１のものと同じである。
【００３８】
指挟み防止手段２４が、取付部材２０と支持部材２２の間に設けられている点は実施例１のものと同じである。さらに、図示のものでは、実施例１のもののように、開口部を有するスプリング受部材を設けても良いが、これは省略しても良い。その場合には、図示してない弾性手段の端部は、支持部材２２の頂板２２ｄの内側に圧接することになる。その他の指示記号の同じものは、実施例１の原稿圧着板開閉装置Ｂのものと同じであるので、説明を省略する。
【実施例３】
【００３９】
図１２は、本発明に係る原稿圧着板開閉装置の指挟み防止手段のさらに他の実施例を示す。この実施例３に係る原稿圧着板開閉装置の取付部材２５は、取付ベース２５ａと両側板２５ｂ、２５ｂと、後板２５ｃを有するが、指挟み防止手段を構成するストッパー手段２６を取付部材２５の後板２５ｃに直に一体に設けてある。即ち、指挟み防止手段を構成するストッパー手段２６は、取付部材２５の後板２５ｃの上端部に直に設けられており、後板２５ｃの上端部を後方へ折り曲げてストッパー部２６ａを形成させ、このストッパー部２６ａの両端部をそれぞれ内側に折り曲げて突起部２６ｂ、２６ｂを形成させてある。
【００４０】
この実施例３によれば、実施例１のもののように、別にストッパー部材を必要とすることはないことから、指挟み防止手段を安価に製造できるという利点がある。
【実施例４】
【００４１】
図１３（ａ）（ｂ）は、本発明に係る原稿圧着板開閉装置のさらに他の実施例に係る指挟み防止手段３２を示す。この実施例４に係る原稿圧着板開閉装置の支持部材３０とリフト部材３１には、先の実施例１に示した指挟み防止手段１３を構成する溝部２ｆ、２ｆ・６ｅ、６ｅが、切れ欠き状態ではなく、長孔３０ｃ、３０ｃと３１ｃ、３１ｃになっている。尚、この長孔３０ｃ、３０ｃと３１ｃ３１ｃは、実施例１の溝部２ｆ、２ｆ・６ｅ、６ｅの全部或は一部に実施できる。各長孔３０ｃ、３０ｃと３１ｃ、３１ｃは、これらを図示したように長角孔とすることが好ましいが、両端部の一方或は双方を半円形状にしても良い。また、支持部材３０の側の長孔３０ｄ、３０ｄは、（ｂ）図に示したように、背板３０ａの後端部からの折曲部３０ｂにまで達している。このように実施すると、背板３０ａの部分の強度向上に寄与することができる。この支持部材３０の背板３０ａに対する長孔３０ｄ、３０ｄの設け方は、リフト部材３１の背板３１ａに設けた折曲部３１ｂに実施してもよい。しかしながら、リフト部材３１の側の長孔３１ｃ、３１ｃを図示のように実施すると、支持部材３０の側の長孔３０ｄ、３０ｄに嵌まり込んだ指を外へ押し出す効果が望まれる。
【００４２】
このように実施すると、実施例１の溝部２ｆ、２ｆ・６ｅ、６ｅのものと異なり、指が挟まれる方向が閉じられているので、さらに、指挟みを防止できる利点がある。
【００４３】
尚、その他の実施例として、支持部材とリフト部材の両方を有する原稿圧着板開閉装置にあっては、伸張部は支持部材とリフト部材の一方に設け、他方には伸張部を設けない実施例もあり得る。この場合も本発明の権利範囲に含まれるものである。
【産業上の利用可能性】
【００４４】
本発明は以上のように構成したので、原稿圧着板の装置本体へ取付時や取外し時、或は原稿圧着板の取付位置の調節時などにおいて、手指を挟む心配のない複合機を始めとする事務機器の原稿圧着板開閉装置として好適に用いられるものである。  
【符号の説明】
【００４５】
Ａ  複合機
ａ  装置本体
ａ’取付挿入孔
Ｂ、Ｂ’、Ｅ  原稿圧着板開閉装置
Ｃ  原稿圧着板
１、２０、２５  取付部材
１ａ、２０ａ、２５ａ  取付ベース
１ｂ、２ｂ、６ｂ、８ｃ、２０ｂ、２２ｂ、２５ｂ  両側板
１ｃ、２０ｃ、２５ｃ  後板
２、２２、３０  支持部材
２ａ、６ａ、２２ａ、３０ａ、３１ａ  背板
２ｅ、６ｄ  伸張部
２ｆ、６ｅ  溝部
３、２３  ヒンジピン
４  連結ピン
５  受圧部材
６、３１  リフト部材
８  ストッパー部材
８ｅ、２６ｂ  突起部
１０  カムスライダー
１０ａ  カム部
１２  弾性手段
１３、２４、３２  指挟み防止手段
２１  取付脚部
３０ｃ、３０ｄ、３１ｃ  長孔
【図１】
0005995046.tif 000002
【図２】
0005995046.tif 000003
【図３】
0005995046.tif 000004
【図４】
0005995046.tif 000005
【図５】
0005995046.tif 000006
【図６】
0005995046.tif 000007
【図７】
0005995046.tif 000008
【図８】
0005995046.tif 000009
【図９】
0005995046.tif 000010
【図１０】
0005995046.tif 000011
【図１１】
0005995046.tif 000012
【図１２】
0005995046.tif 000013
【図１３】
0005995046.tif 000014